(57)【特許請求の範囲】
【請求項１】
家畜や家禽類に発生する病原菌を除菌する薬剤溶液を貯蔵するタンクと、前記薬剤溶液を圧送する圧送手段と、該圧送手段を制御する制御装置と、前記圧送された薬剤溶液を噴霧する複数のノズルと、から構成された車両用防疫装置であって、前記ノズルは、車両のタイヤハウジング内と、車両の前部または後部の底面と、車両の側面下部に配置され、タイヤハウジング内及び車両の底面方向に向けて、前記薬剤溶液を噴霧すると共に、車両の側面下部に設けられたノズルは、車両の外側方向へ前記薬剤溶液を噴霧することを特徴とする車両用防疫装置。
【請求項２】
車両の側面下部に配置されたノズルが引き出し可能とされたことを特徴とする請求項１に記載の車両用防疫装置。
【発明の詳細な説明】
【技術分野】
【０００１】
本発明は、防疫装置であって、とくに家畜や家禽類を多数飼育する農家、農業法人などの防疫を必要とする施設に出入りする車両等の除菌を行なう車両用防疫装置に関するものである。
【背景技術】
【０００２】
近年、家畜や家禽類の経営規模が拡大する傾向があり、一つの農業法人の施設において数千頭の家畜の飼育や、数万羽の家禽類の飼育がなされている。そのため、一旦外部から口蹄疫や鳥インフルエンザなどのウイルスが浸入して病気が発生すると、施設内の全ての家畜や家禽類を殺処分するなど経営者にとって多大の損失となるものである。これらのウイルスの進入する原因としては、野生の動物や鳥の施設内への持ち込みや、施設へ出入りする各種の車両本体、若しくは人に付着したウイルスからの感染が考えられる。
【０００３】
これらのウイルスの浸入に対して従来は、施設周辺に大量の石灰を散布したり、施設に出入りする車両に対して、噴射洗浄装置などを用いて車両のタイヤ、車両本体、乗員の靴などの除菌をおこなっているが、複数の農業法人の施設を巡回している業務車両においては、除菌作業に多大の時間を要するものであった。
【０００４】
そこで、車両の運転席から除菌操作ができ、タイヤ全体を万遍なく十分な液量で除菌可能にすると共に、乗員の靴等の除菌をおこなうことができる除菌装置が提案されている（特許文献１参照。）。
【先行技術文献】
【特許文献】
【０００５】
【特許文献１】登録実用新案第３０５９６１７号公報
【発明の概要】
【発明が解決しようとする課題】
【０００６】
しかしながら、上記特許文献１に提案されている除菌装置は、運転席から除菌操作ができ、タイヤ全体を万遍なく十分な液量で除菌可能とするものであるが、タイヤ噴射ノズルは、タイヤの周面と側面に向かって配置されており、車両の底面やタイヤハウジング内の除菌に関しては何らの対策がないものであった。そのため、車両の底やタイヤハウジング内を除菌する際には、乗員用の噴射ノズルを引き出して手作業で噴霧作業を行なう必要があった。
【０００７】
上記の問題点に鑑み本発明者らは、複数の家畜や家禽類の施設を巡回する車両の除菌を行なう際に、車両に乗った状態で車両の底部、タイヤ表面、タイヤハウジング内の除菌を確実に行い、更に乗員の靴などの除菌も可能とする車両用防疫装置を提供するに至った。
【課題を解決するための手段】
【０００８】
このため本発明の車両用防疫装置は、家畜や家禽類に発生する病原菌を除菌する薬剤溶液を貯蔵するタンクと、前記薬剤溶液を圧送する圧送手段と、該圧送手段を制御する制御装置と、前記圧送された薬剤溶液を噴霧する複数のノズルと、から構成された車両用防疫装置であって、前記ノズルは、車両のタイヤハウジング内と、車両の前部または後部の底面と、車両の側面下部に配置され、タイヤハウジング内及び車両の底面方向に向けて、前記薬剤溶液を噴霧すると共に、車両の側面下部に設けられたノズルは、車両の外側方向へ前記薬剤溶液を噴霧することを第一の特徴とする。
【０００９】
また、車両の側面下部に配置された前記ノズルが引き出し可能とされたことを第二の特徴とする。
【発明の効果】
【００１０】
本発明に係る車両用防疫装置によれば、家畜や家禽類に発生する病原菌を除菌する薬剤溶液を複数のノズルを介して、車両の底部やタイヤハウジング内に配置し、薬剤溶液を圧送する圧送手段によって、タイヤハウジング内及び前記車両の底方向に向けて噴霧を行なうことができるため、車両に乗って移動しながら車両に付着した病原菌の除菌を行なうことができるという効果を有する。
【００１１】
また、複数のノズルのうち少なくとも１個が、車両の側面下部に設けられ、乗員の履物に噴霧可能とされており、車両で移動する乗員の靴などに付着した病原菌の除菌を行なうことができるという効果を有する。
【図面の簡単な説明】
【００１２】
【図１】本発明に係る車両用防疫装置の一実施例を示す構成図である。
【図２】図１の部分拡大説明図である。
【発明を実施するための形態】
【００１３】
以下、本発明を実施例を示す図面を参照しながら説明するが、本発明が本実施例に限定されないことは言うまでもない。図１は本発明の車両用防疫装置の一実施例を示す構成図、図２は図１の部分拡大説明図である。尚、本実施例においては小型トラックに塔載した例を示す。
【実施例】
【００１４】
図１は、本発明の車両用防疫装置を使用した車両の例を示している。図に示すように、車両本体１に病原菌を除菌する薬剤溶液を貯蔵するタンク２と、このタンク２内の薬剤溶液を圧送するポンプ３とが配設されている。このポンプ３の駆動には電動モータなどが使用され、スイッチ４によって制御される。そしてこのスイッチ４は車両の運転席内の操作パネル近傍に取付けられ、車両内のバッテリー５と接続されている。車両本体１のタイヤハウジング６には夫々ポンプ３から圧送される薬剤溶液をタイヤハウジング６内に噴霧するためのノズル７が夫々取付けられている。そして車両本体１のタイヤハウジング６近傍側面、及び車両本体１の底部に夫々ノズル８、９が設置され、上述した薬剤溶液が圧送される。
【００１５】
タンク３とノズル７、８、９との間には切替弁１０が取付けられており、この切替弁１０を動作させることによって薬剤溶液を圧送して噴霧させるノズルを切替える。
【００１６】
ノズル７、８、９は車両の振動などに適応するものが採用されており、車両を運転した状態であっても薬剤溶液の噴霧を可能とする。そして、図２に示すようにノズル７は車両本体１の４箇所のタイヤハウジング６の前方或いは後方からタイヤハウジング６の上面方向に向けて噴霧する位置に配置されている。またノズル８は車両本体１の少なくとも運転者側面下部から外側方向に噴霧する位置に配置され、そしてノズル９は車両本体１の前底部もしくは後底部の底面方向へ噴霧可能な位置に配置されている。尚、図においてノズル８及び９は夫々１個となっているが、例えばノズル９は車両本体１の底面前部に設置してもよく、さらに複数配置しても構わない。そして、ノズル８は車両本体１から、パイプ（図示せず）などによって引き出して手動によって薬剤溶液を噴霧することも可能である。
【００１７】
上記の構成からなる本発明の車両用防疫装置は、乗員が車両に乗ったままで車両の底面やタイヤハウジング６内の除菌を行なうことができる。しかもタイヤハウジング６内に噴霧された薬剤は、当然タイヤ１１の表面全面に噴霧されることになるため、乗員が車両から降りて、タイヤハウジング６内のタイヤ１１の除菌作業を行なう必要がない。しかも、車両を降りる際にはノズル８によって、靴などの履物の底部などを除菌することが可能であり、従来複数の施設を巡回する際の除菌作業に掛かった時間ロスを大幅に削減することができる。
【００１８】
次に本発明の車両用防疫装置の駆動方法を説明する。まず家畜や家禽類の施設を巡回する車両は、施設の近くで徐行しながら車両の除菌準備をする。車両の底部 とタイヤハウジング６内の除菌を行なう場合には、予め切替弁１０をノズル７、９側に接続し、乗員が車両内の操作パネルに設置されたスイッチ４をオンにす る。このスイッチ４の操作によってポンプ３が駆動し、タンク２内に貯蔵されている薬剤溶液を圧送して、ノズル７、９から噴霧させる。この状態でタイヤの表 面前面や、車両本体の底面にむらなく薬剤が噴霧されたと判断したら、乗員はスイッチ４をオフして施設内に車両を乗り入れ下車する。
【００１９】
次に、乗員は車両から下車する際に、切替弁１０をノズル８側に接続し、再度スイッチ４をオンにする。このスイッチ４の操作によってポンプ３が駆動し、タンク２内に貯蔵されている薬剤溶液を圧送して、ノズル８から噴霧させる。この状態で乗員の靴の底部などの除菌を行なうことができる。除菌操作が終了すると、スイッチ４をオフにしてさらに切替弁１０をノズル７、９側と接続させる。
【００２０】
上記の構成からなる本発明の車両用防疫装置によれば、乗員は車両内で運転しながら、スイッチの操作とノズルの切替のみで車両の底面やタイヤハウジング内の除菌を行なうことができる。
【００２１】
以上の構成からなる本発明の車両用防疫装置は、家畜や家禽類に発生する病原菌を除菌する薬剤溶液を複数のノズルを介して、車両の底部やタイヤハウジング内に配置し、薬剤溶液を圧送する圧送手段によって、タイヤハウジング内及び前記車両の底方向に向けて噴霧を行なうことができるため、複数の家畜や家禽類の施設を巡回する車両の除菌を行なう際に、車両に乗った状態で車両の底部、タイヤ表面、タイヤハウジング内の除菌を確実に行い、更に乗員の靴などの除菌を行なうことができる。
【符号の説明】
【００２２】
１              車両本体
２              タンク
３              ポンプ
４              スイッチ
５              バッテリー
６              タイヤハウジング
７、８、９      ノズル
１０              切替弁
１１              タイヤ
【図１】
0005569750.tif 000002
【図２】
0005569750.tif 000003